(57)【要約】【課題】安価で簡便に自転車に取り付けられて、信頼性の高い運動強度の測定を手軽に行うことを可能にする。【解決手段】サドル用圧力センサ２０２は、自転車のサドルの上面に配置され、サドルへの圧力を検出する。ペダル用圧力センサ２０３ａ，２０３ｂ，２０３ｃ，２０３ｄは、自転車のペダルの足載置面に配置され、ペダルへの圧力を検出する。ＣＰＵ２１１は、サドル用圧力センサ２０２の検出結果及びペダル用圧力センサ２０３ａ，２０３ｂ，２０３ｃ，２０３ｄの検出結果に基づいて自転車の使用者の運動の強度を示す運動強度を算出する。【選択図】図２
2015054149.tif 000002
【特許請求の範囲】
【請求項１】
自転車に取り付けられる運動情報収集装置であって、
前記自転車のサドルの上面に配置され、該サドルへの圧力を検出するための第１の圧力検出手段と、
前記自転車のペダルの足載置面に配置され、該ペダルへの圧力を検出するための第２の圧力検出手段と、
前記第１の圧力検出手段の検出結果及び前記第２の圧力検出手段の検出結果に基づいて前記自転車の使用者の運動の強度を示す運動強度を算出する制御部と
を備えたことを特徴とする運動情報収集装置。
【請求項２】
前記制御部は、前記第１の圧力検出手段によって検出された圧力と、前記第２の圧力検出手段によって検出された圧力とに基づいて、前記自転車の使用者の体重を求め、該求めた体重と、前記第２の圧力検出手段によって検出された圧力とに基づいて第１の評価指数を求め、前記求めた体重と、前記第１の圧力検出手段によって検出された圧力とに基づいて前記サドルに対する荷重率を求め、該求めた荷重率から第２の評価指数を求め、求められた前記第１の評価指数及び前記第２の評価指数に基づいて前記運動強度を算出することを特徴とする請求項１に記載の運動情報収集装置。
【請求項３】
前記制御部は、算出した前記運動強度、前記自転車の運転時間及び前記自転車の使用者の体重に基づいて前記自転車の使用者の消費カロリーを算出することを特徴とする請求項２に記載の運動情報収集装置。
【請求項４】
前記第１の圧力検出手段と前記第２の圧力検出手段は、前記自転車に着脱自在であることを特徴とする請求項１〜３のいずれか一項に記載の運動情報収集装置。
【請求項５】
コンピュータを
自転車のサドルの上面に取り付けられた第１の圧力検出手段によって検出された前記自転車のサドルへの圧力と、前記自転車のペダルの足載置面に取り付けられた第２の圧力検出手段によって検出された前記自転車のペダルへの圧力とを入力し、入力した前記自転車のサドルへの圧力と前記自転車のペダルへの圧力とに基づいて前記自転車の使用者の運動の強度を示す運動強度を算出する制御部、
として機能させるためのプログラム。
【発明の詳細な説明】
【技術分野】
【０００１】
本発明は、運動情報収集装置及びプログラムに関する。
【背景技術】
【０００２】
自転車運動において使用者の運動強度を知ることは、トレーニングやダイエット等を行う上で重要な要素である。運動強度を知る手段としては、酸素摂取量を計測する方法や、心拍数を計測する方法が知られている。また、使用者の自転車に対する仕事量を計測する方法としては、動力測定機器を自転車のクランク、ペダル、チェーン等に装備し、計測を行うことで正確な運動強度の算出が可能となる。
【０００３】
しかしながら、酸素摂取量や心拍数の計測を行うためには、使用者への測定機器の装着が必要となる。また、仕事量の算出を行うためには、動力測定機器を自転車に装備する必要があり、このような機器の装備には専門的な知識が必要で、しかも、安易に取り付けや取り外しを行うことができないなどといった問題がある。
【０００４】
このような問題に鑑み、従来の運動情報収集装置において、人体インピーダンスを測定可能な運動計をハンドルに着脱自在に取り付けるとともに、磁気センサをフロントフォークに取り付けて、前輪のスポークに装着されたマグネットの磁気を検出するように構成し、さらにペダルへの圧力を測定して、これらの測定結果に基づいて運動強度を求めるようにしたものがある（例えば、特許文献１）。
【先行技術文献】
【特許文献】
【０００５】
【特許文献１】特開２００１−２７６０２５号公報
【発明の概要】
【発明が解決しようとする課題】
【０００６】
しかしながら、上記特許文献１に記載の技術では、運動強度を正確に測ることができない場合がある。例えば、図８に示すように、自転車１０００のペダル５１２ａ，５１２ｂにそれぞれ圧力センサ６０３ａ，６０３ｂを設け、この圧力センサ６０３ａ，６０３ｂによってペダル５１２ａ，５１２ｂへの圧力を計測することにより、仕事量の計測を行うことは可能であるが、使用者にとっての運動強度の推定を正しく行うことができない。これは、使用者の特性値（重量等）が考慮されていないからである。また、例えば、図９に示すように、いわゆる立ち漕ぎを行うとペダル５１２ａ，５１２ｂには使用者のほぼ全体重がかかるが、いわゆる座り漕ぎを行った場合、体重の一部しかペダル５１２ａ，５１２ｂにかからないため、立ち漕ぎを行った体重の小さい使用者と、座り漕ぎを行った体重の大きい使用者とのペダル５１２ａ，５１２ｂにかかる負荷が同じになることがあり、そうすると同じ測定結果が得られることになる。このような場合、仕事量としては等しいものの、ペダル５１２ａ，５１２ｂへの負荷が同じであっても体重の差から運動強度は同じとは限らない。したがって、測定結果が同じであっても、実際の運動強度は異なる場合があり、正確に測定することができない場合がある。
【０００７】
本発明の課題は、安価で簡便に自転車に取り付けられて、信頼性の高い運動強度の測定を手軽に行うことを可能にすることである。
【課題を解決するための手段】
【０００８】
以上の課題を解決するため、請求項１に記載の発明は、自転車に取り付けられる運動情報収集装置であって、
前記自転車のサドルの上面に配置され、該サドルへの圧力を検出するための第１の圧力検出手段と、
前記自転車のペダルの足載置面に配置され、該ペダルへの圧力を検出するための第２の圧力検出手段と、
前記第１の圧力検出手段の検出結果及び前記第２の圧力検出手段の検出結果に基づいて前記自転車の使用者の運動の強度を示す運動強度を算出する制御部と
を備えたことを特徴とする。
【発明の効果】
【０００９】
本発明によれば、安価で簡便に自転車に取り付けられて、信頼性の高い運動強度の測定を手軽に行うことを可能にすることができる。
【図面の簡単な説明】
【００１０】
【図１】本実施の形態に係る運動情報収集装置が取り付けられた自転車の外観を表す図である。
【図２】運動情報収集装置の機能的構成について説明するブロック図である。
【図３】運動強度測定処理について説明するフローチャートである。
【図４】評価指数α特定テーブルについて説明する図である。
【図５】評価指数β特定テーブルについて説明する図である。
【図６】運動情報収集装置の他の形態の機能的構成について説明するブロック図である。
【図７】携帯端末の機能的構成について説明するブロック図である。
【図８】従来の運動情報収集装置について説明する図である。
【図９】従来の運動情報収集装置について説明する図である。
【発明を実施するための形態】
【００１１】
以下に、本発明を実施するための最良の形態について図面を用いて説明する。ただし、以下に述べる実施形態には、本発明を実施するための技術的に好ましい種々の限定が付されているが、発明の範囲を以下の実施形態及び図示例に限定するものではない。
【００１２】
図１は、本実施の形態に係る自転車１００及び自転車１００に取り付けられた運動情報収集装置２００を示している。ここで、図１（Ａ）は自転車１００の側面図を表し、図１（Ｂ）は自転車１００の背面図を表している。なお、本実施の形態の説明において、左右、前後、上下とは、自転車１００のサドル１０６に使用者がハンドル１０３に向かって着座した状態を基準とした左右、前後、上下を意味する。また、本実施の形態において適用される自転車として一般的な自転車を想定しているが、例えば、競技用の自転車やロードバイク等、何れの形態の自転車についても適用可能である。
【００１３】
自転車１００は、図１に示すように、フレーム１０１と、フレーム１０１の前端に設けられ、回動可能に支持された上下方向に延在するハンドルステム１０２と、ハンドルステム１０２の上端部に固着された左右方向に延在するハンドル１０３と、ハンドルステム１０２の下端部に設けられたフロントフォーク１０４と、フレーム１０１の中央において、上下方向に延在して後ろ側に傾斜したサドルパイプ１０５と、サドルパイプ１０５の上端部に取り付けられた使用者により着座可能なサドル１０６とを備えている。
【００１４】
また、フレーム１０１の中央下端部には、図示しない前後１組のギアとこれらのギアに掛け渡されたベルトやチェーン等の動力伝達部材等が収容されたカバー体１０７が設けられている。
【００１５】
また、サドルパイプ１０５の略中央には、後ろ側に延出したリアフォーク１０９が下方に傾斜して設けられている。
【００１６】
フロントフォーク１０４の下端には、前輪１０８が回転可能に軸支されている。また、リアフォーク１０９の下端には後輪１１０が回転可能に軸支されている。後輪１１０には、上述した前後１組のギアのうちの後ろ側のギアが一体的に取り付けられている。
【００１７】
また、カバー体１０７には、クランク１１１が貫通して設けられている。クランク１１１はフレーム１０１を中心にして左右方向に延在している。
クランク１１１は、上述した前後１組のギアのうちの前側のギアの中心に貫設されたクランク軸１１１ａと、クランク軸１１１ａの両端にそれぞれ垂直方向に向けて設けられた一対のクランクアーム１１１ｂ，１１１ｃとによって構成されている。そして、クランクアーム１１１ｂ，１１１ｃの端部には、それぞれペダル１１２ａ，１１２ｂがクランクアーム１１１ｂ，１１１ｃの延在方向とは垂直の方向に向けて回転可能に設けられている。
【００１８】
また、ハンドルステム１０２には、カゴ１１３が前方に向けて取り付けられている。
【００１９】
本実施の形態における自転車１００は、上述したように構成されているので、使用者がサドル１０６に着座し、足でペダル１１２ａ，１１２ｂを踏み込むと、クランク１１１が前側のギアとともに回転する。この回転力は、動力伝達部材により後ろ側のギアに伝達され、これにより、後輪１１０が回転する。自転車１００は、このようにして走行することができる。
なお、本実施の形態における自転車１００の各部構成については、上述したものに限らず、自転車１００が走行可能な構成であれば適宜設計変更が可能である。
【００２０】
本実施の形態では、運動情報収集装置２００が自転車１００に取り付けられている。
運動情報収集装置２００は、カバー体１０７に着脱自在に取り付けられた本体ケース２０１と、サドル１０６の上面に着脱自在に取り付けられた第１の圧力検出手段としてのサドル用圧力センサ２０２と、ペダル１１２ａ，１１２ｂの各上下面、すなわち、足載置面にそれぞれ着脱自在に取り付けられた第２の圧力検出手段としてのペダル用圧力センサ２０３ａ，２０３ｂ，２０３ｃ，２０３ｄとを備えている。
サドル用圧力センサ２０２及びペダル用圧力センサ２０３ａ，２０３ｂ，２０３ｃ，２０３ｄは、例えば、シート状に形成された公知の圧力センサが適用可能である。
本体ケース２０１、サドル用圧力センサ２０２及びペダル用圧力センサ２０３ａ，２０３ｂ，２０３ｃ，２０３ｄの自転車１００への取り付けは、例えば、粘着テープや磁石等、簡易に取り付け及び取り外しが可能な手段により行われる。これにより、専門の知識を必要とせず、簡便に運動情報収集装置２００の取り付け及び取り外しを行うことができるようになっている。
【００２１】
本体ケース２０１には、サドル用圧力センサ２０２及びペダル用圧力センサ２０３ａ，２０３ｂ，２０３ｃ，２０３ｄからの検出信号を処理する各種デバイスが収容されている。
【００２２】
サドル用圧力センサ２０２は、サドル１０６への圧力を検出し、圧力に応じた検出信号を出力する。
ペダル用圧力センサ２０３ａ，２０３ｂ，２０３ｃ，２０３ｄは、ペダル１１２ａ，１１２ｂへの圧力を検出し、圧力に応じた検出信号を出力する。
【００２３】
次に、運動情報収集装置２００の機能的構成について、図２を参照しながら説明する。
【００２４】
運動情報収集装置２００は、上述したサドル用圧力センサ２０２及びペダル用圧力センサ２０３ａ，２０３ｂ，２０３ｃ，２０３ｄの他、例えば、図２に示すように、ＣＰＵ（Central Processing Unit）２１１と、ＲＯＭ（Read Only Memory）２１２と、ＲＡＭ（Random Access Memory）２１３と、通信部２１４とを備え、これらはバス２１５で接続されているとともに、本体ケース２０１に収容されている。
【００２５】
制御部としてのＣＰＵ２１１は、ＲＯＭ２１２に記憶されているシステムプログラムを読み出し、ＲＡＭ２１３のワークエリアに展開し、該システムプログラムに従って各部を制御する。また、ＣＰＵ２１１は、ＲＯＭ２１２に記憶されている運動強度測定プログラム等の各種処理プログラムを読み出してワークエリアに展開し、各種処理を実行する。
【００２６】
ＲＯＭ２１２は、読み出し専用のメモリであり、各種処理を実行するためのプログラムや読み出し用のデータ等を記憶する。これらのプログラムは、コンピュータ読み取り可能なプログラムコードの形態でＲＯＭ２１２に格納されている。本実施の形態では、ＲＯＭ２１２は、例えば、後述する評価指数α特定テーブルや評価指数β特定テーブル等のデータテーブルを記憶している。
【００２７】
ＲＡＭ２１３は、揮発性のメモリであり、実行される各種プログラムやこれら各種プログラムに係るデータ等を一時的に記憶するワークエリアを形成する。
【００２８】
通信部２１４は、モデム、ルータ、ネットワークカード等により構成される。通信部２１４は、通信ネットワークを介して外部装置と接続可能であり、接続された外部装置とデータの送受信を行う。
【００２９】
次に、上述のようにして構成された運動情報収集装置２００のＣＰＵ２１１にて実行される運動強度測定処理について、図３を参照しながら説明する。運動強度測定処理は、例えば、所定のスタート操作が行われたときに実行される処理である。
【００３０】
まず、ＣＰＵ２１１は、使用者に関する初期値を計測した後（ステップＳ１０１）、運動強度の測定を開始する。具体的には、ＣＰＵ２１１は、サドル用圧力センサ２０２からの検出信号及びペダル用圧力センサ２０３ａ，２０３ｂ，２０３ｃ，２０３ｄからの検出信号を入力し、これらに基づいて使用者の全体重及びサドルに対する荷重を計測し、これを初期値とする。通常、一般向けの自転車１００では、サドル１０６とペダル１１２ａ，１１２ｂにほぼ全体重が掛かっていると仮定できるため、サドル１０６とペダル１１２ａ，１１２ｂに配置した圧力センサ（サドル用圧力センサ２０２及びペダル用圧力センサ２０３ａ，２０３ｂ，２０３ｃ，２０３ｄ）による計測結果から使用者の全体重を測定することができる。
【００３１】
次に、ＣＰＵ２１１は、ペダル用圧力センサ２０３ａ，２０３ｂ，２０３ｃ，２０３ｄからの検出信号を入力し、これに基づいてペダル１１２ａ，１１２ｂに対する荷重を計測する（ステップＳ１０２）。
【００３２】
ＣＰＵ２１１は、上述したようにして求めた使用者の全体重の初期値とペダル１１２ａ，１１２ｂに対する荷重とから第１の評価指数としての評価指数αを算出する（ステップＳ１０３）。より具体的には、ＣＰＵ２１１は、図４に示す体重別の評価指数α特定テーブルから使用者の全体重に対応するものを選択する。そして、ＣＰＵ２１１は、選択した評価指数α特定テーブルを参照して、ペダル１１２ａ，１１２ｂに対する荷重（ペダル圧力）に対応する評価指数αを抽出する。例えば、使用者の全体重が６０ｋｇで、ペダル圧力がＰ３である場合には、６０ｋｇ用評価指数α特定テーブルを参照し、ペダル圧力Ｐ３に対応する評価指数α２３が抽出される。なお、全体重に対応する評価指数α特定テーブルがない場合には、例えば、体重の近似する２つの評価指数α特定テーブルからそれぞれペダル圧力に対応する評価指数αを抽出し、これらを補間して全体重に対応する評価指数αを求めるようにしてもよい。例えば、使用者の全体重が５５ｋｇで、ペダル圧力がＰ２である場合には、５０ｋｇ用評価指数α特定テーブルからペダル圧力Ｐ２に対応する評価指数α１２を抽出し、６０ｋｇ用評価指数α特定テーブルからペダル圧力Ｐ２に対応する評価指数α２２を抽出し、評価指数α１２及び評価指数α２２を重み補間して評価指数αを求めるようにしてもよい。
【００３３】
続いて、ＣＰＵ２１１は、サドル用圧力センサ２０２からの検出信号を入力し、これに基づいてサドル１０６に対する荷重を計測する（ステップＳ１０４）。
【００３４】
ＣＰＵ２１１は、上述したようにして求めた使用者の全体重の初期値とステップＳ１０４において計測したサドル１０６に対する荷重とから第２の評価指数としての評価指数βを算出する（ステップＳ１０５）。より具体的には、ＣＰＵ２１１は、サドル１０６に対する荷重を使用者の全体重の初期値で除してサドル荷重率を求める。そして、ＣＰＵ２１１は、図５に示される評価指数β特定テーブルを参照して、求めたサドル荷重率に対応する評価指数βを抽出する。例えば、サドル荷重率が６０％である場合には、評価指数β３が抽出される。なお、サドル荷重率に対応する評価指数βがない場合には、例えば、近似する２つのサドル荷重率にそれぞれ対応する評価指数βを抽出し、これらを補間してサドル荷重率に対応する評価指数βを求めるようにしてもよい。例えば、サドル荷重率が５５％である場合には、サドル荷重率６０％に対応する評価指数β３とサドル荷重率４０％に対応する評価指数β４とをそれぞれ抽出し、評価指数β３及び評価指数β４を重み補間して評価指数βを求めるようにしてもよい。
【００３５】
続いて、ＣＰＵ２１１は、上述したようにして求めた評価指数α及び評価指数βに基づいて、自転車１００の使用者の運動の強度を示す運動強度と消費カロリーとを算出する（ステップＳ１０６）。
運動強度Ｅは、例えば、下記式（１）により求めることができる。
運動強度Ｅ＝評価指数α×評価指数β×定数ｋ・・・（１）
また、消費カロリーＣは、例えば、下記式（２）により求めることができる。下記式（２）において、時間Ｔは、自転車１００の運転時間に相当し、例えば、１秒毎に消費カロリーの計測を行う場合には、時間Ｔとして１秒が設定される。
消費カロリーＣ＝運動強度Ｅ×時間Ｔ×全体重Ｗ・・・（２）
ＣＰＵ２１１は、上述したようにして算出された運動強度と消費カロリーを、例えば、ＲＡＭ２１３に履歴として記憶保持しておく。
ＲＡＭ２１３に記憶保持された運動強度と消費カロリーは、例えば、通信ネットワークを介して接続されたパーソナルコンピュータ（ＰＣ）等に送信することにより、当該ＰＣの備える表示装置の表示画面上に表示させることができる。
【００３６】
ＣＰＵ２１１は、測定が終了したか否かを判定する（ステップＳ１０７）。測定の終了は、例えば、所定の終了操作が行われたか否かにより判定される。ＣＰＵ２１１は、測定が終了したと判定しないときは（ステップＳ１０７：Ｎ）、１秒のウエイト時間が経過するのを待って（ステップＳ１０８）、ステップＳ１０２の処理を実行する。なお、ウエイト時間は１秒に限らず、適宜の時間に設定することができる。一方、ＣＰＵ２１１は、測定が終了したと判定したときは（ステップＳ１０７：Ｙ）、この処理を終了する。
【００３７】
本実施の形態では、上述したように、ペダル１１２ａ，１１２ｂに加わる圧力（仕事量）と全体重とから運動強度の測定を行うことができる。
また、本実施の形態では、運動強度の他、仕事量、使用者の体重、消費カロリー等を一度の計測処理により測定することができる。また、運動情報収集装置２００を自転車に簡便に取り付けることができる。そのため、従来の運動強度等の測定における使用者への計測器の装着の困難性や、測定装置についての専門的な知識を必要とせず、安価で簡便に自転車に取り付けられて、信頼性の高い運動強度の測定を手軽に行うことを可能にしている。そのため、異なる自転車にて運動強度の測定を行う場合には、容易に運動情報収集装置を付け替えて実施することができる。
【００３８】
なお、本実施の形態では、サドル１０６及びペダル１１２ａ，１１２ｂに圧力センサを設けて、これらによる計測結果によって運動強度の測定を行うようにしたが、例えば、ハンドル１０３のグリップ部分にも計測装置を設け、この計測装置による計測結果をさらに加味してより正確な計測を可能に構成してもよい。
【００３９】
上述した実施の形態では、自転車１００に圧力センサ及びＣＰＵ２１１、ＲＯＭ２１２、ＲＡＭ２１３等を収容した本体ケース２０１を取り付け、ＣＰＵ２１１が運動強度及び消費カロリーを求めるように構成したが、例えば、本体ケース２０１に収容された各機能部を、使用者の所有する携帯端末に備えるようにして、携帯端末と無線通信を行うための無線通信部を圧力センサに接続し、携帯端末がこの無線通信を介して圧力センサから圧力を示す情報を受信し、運動強度及び消費カロリーを求めるように構成してもよい。
【００４０】
具体的には、例えば、図６に示すように、運動情報収集装置２００Ａは、サドル用圧力センサ２０２と無線通信部２０４とが一体に設けられたサドル用圧力センサモジュール２００Ａａと、ペダル用圧力センサ２０３ａ，２０３ｂ，２０３ｃ，２０３ｄと無線通信部２０５とが一体に設けられたペダル用圧力センサモジュール２００Ａｂとを備えている。無線通信部２０４，２０５は、各圧力センサから出力された検出信号をＡ／Ｄ変換して無線通信にて出力を行う。無線通信部２０４，２０５は、例えば、Ｗｉ−Ｆｉ（Wireless Fidelity）やＢｌｕｅｔｏｏｔｈ（登録商標）等の通信規格によりデータ通信を行うことができる。
【００４１】
次に、運動情報収集装置２００Ａから送信された圧力センサの検出信号を受信する携帯端末３００の機能的構成について、図７を参照しながら説明する。
【００４２】
携帯端末３００は、例えば、携帯電話、スマートフォン、タブレット式端末などの携帯機器である。図７に示すように、携帯端末３００には、例えば、表示部３０１と、操作部３０２と、通信部３０３と、無線通信部３０４と、記憶部３０５と、これらを制御する制御部３０６とが設けられている。
【００４３】
表示部３０１は、例えば、ＬＣＤ（Liquid Crystal Display）や有機ＥＬ（Electro Luminescence）パネル等から構成されている。表示部３０１は、後述するようにして算出された運動強度及び消費カロリーの履歴を表示することができる。
操作部３０２は、例えば、タッチパネルや操作キー等である。
通信部３０３は、３Ｇ（3rd Generation）やＬＴＥ（Long Term Evolution）等の通信規格により音声及びデータ通信を行う。
無線通信部３０４は、運動情報収集装置２００Ａの無線通信部２０４，２０５と無線通信可能に構成されている。
記憶部３０５には、システムプログラム、運動情報収集装置２００Ａとの通信を行うためのアプリケーションプログラム、運動強度測定プログラム等の各種プログラム及び上述した評価指数α特定テーブルや評価指数β特定テーブル等が記憶されている。
制御部３０６は、例えば、ＣＰＵ、ＲＡＭを備えて構成され、記憶部３０５に記憶されているシステムプログラム等の各種処理プログラムを読み出してＲＡＭに展開し、展開したプログラムに従って携帯端末３００の各部の動作を集中制御する。また、制御部３０６は、上述した運動強度測定処理を実行する。このとき、ペダル１１２ａ，１１２ｂに対する荷重の計測や、サドル１０６に対する荷重の計測を行うときには、無線通信部３０４を介して運動情報収集装置２００Ａから各圧力センサの検出信号を受信する。
【００４４】
以上説明したように、本実施の形態によれば、サドル用圧力センサ２０２は、自転車１００のサドル１０６の上面に配置され、サドル１０６への圧力を検出する。ペダル用圧力センサ２０３ａ，２０３ｂ，２０３ｃ，２０３ｄは、自転車１００のペダル１１２ａ，１１２ｂの足載置面に配置され、ペダル１１２ａ，１１２ｂへの圧力を検出する。ＣＰＵ２１１は、サドル用圧力センサ２０２の検出結果及びペダル用圧力センサ２０３ａ，２０３ｂ，２０３ｃ，２０３ｄの検出結果に基づいて自転車１００の使用者の運動の強度を示す運動強度を算出する。その結果、安価で簡便に自転車に取り付けられて、信頼性の高い運動強度の測定を手軽に行うことを可能にすることができる。すなわち、従来の運動強度等の測定における使用者への計測器の装着の困難性や、測定装置についての専門的な知識を必要とせず、安価で簡便に自転車に取り付けられて、信頼性の高い運動強度の測定を手軽に行うことができる。
【００４５】
また、本実施の形態によれば、ＣＰＵ２１１は、サドル用圧力センサ２０２によって検出された圧力と、ペダル用圧力センサ２０３ａ，２０３ｂ，２０３ｃ，２０３ｄによって検出された圧力とに基づいて、自転車１００の使用者の体重を求める。ＣＰＵ２１１は、求めた体重と、ペダル用圧力センサ２０３ａ，２０３ｂ，２０３ｃ，２０３ｄによって検出された圧力とに基づいて評価指数αを求める。ＣＰＵ２１１は、求めた体重と、サドル用圧力センサ２０２によって検出された圧力とに基づいてサドル１０６に対する荷重率を求める。ＣＰＵ２１１は、求めた荷重率から評価指数βを求める。ＣＰＵ２１１は、求められた評価指数α及び評価指数βに基づいて運動強度を算出する。その結果、より正確な運動強度を求めることができるようになる。
【００４６】
また、本実施の形態によれば、ＣＰＵ２１１は、算出した運動強度、自転車１００の運転時間及び自転車１００の使用者の体重に基づいて自転車１００の使用者の消費カロリーを算出する。その結果、運動強度とともに自転車の移動に伴う消費カロリーを同時に算出できるとともに、正確に消費カロリーを求めることができる。
【００４７】
また、本実施の形態によれば、サドル用圧力センサ２０２とペダル用圧力センサ２０３ａ，２０３ｂ，２０３ｃ，２０３ｄは、自転車１００に着脱自在であるので、例えば、異なる自転車にて運動強度の測定を行う場合には、容易に付け替えて実施することができる。
【００４８】
なお、上記実施形態における記述内容は、本発明に係る運動情報収集装置の好適な一例であり、これに限定されるものではない。
【００４９】
また、運動強度の算出方法は、上述したものに限定されず、サドル用圧力センサ２０２及びペダル用圧力センサ２０３ａ，２０３ｂ，２０３ｃ，２０３ｄからの検出結果に基づいて算出できるものであれば適宜の算出方法が適用可能である。
【００５０】
また、本実施の形態では、運動強度とともに消費カロリーを算出するようにしたが、消費カロリーを算出しないものであってもよい。
【００５１】
また、本実施の形態では、サドル用圧力センサ２０２及びペダル用圧力センサ２０３ａ，２０３ｂ，２０３ｃ，２０３ｄは着脱自在に取り付けられていたが、これに限らず、自転車１００に備え付けられている構造でもよい。
【００５２】
また、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００５３】
その他、運動情報収集装置を構成する各装置の細部構成及び細部動作に関しても、発明の趣旨を逸脱することのない範囲で適宜変更可能である。
【００５４】
本発明の実施の形態及び変形例を説明したが、本発明の範囲は、上述の実施の形態及び変形例に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
自転車に取り付けられる運動情報収集装置であって、
前記自転車のサドルの上面に配置され、該サドルへの圧力を検出するための第１の圧力検出手段と、
前記自転車のペダルの足載置面に配置され、該ペダルへの圧力を検出するための第２の圧力検出手段と、
前記第１の圧力検出手段の検出結果及び前記第２の圧力検出手段の検出結果に基づいて前記自転車の使用者の運動の強度を示す運動強度を算出する制御部と
を備えたことを特徴とする運動情報収集装置。
＜請求項２＞
前記制御部は、前記第１の圧力検出手段によって検出された圧力と、前記第２の圧力検出手段によって検出された圧力とに基づいて、前記自転車の使用者の体重を求め、該求めた体重と、前記第２の圧力検出手段によって検出された圧力とに基づいて第１の評価指数を求め、前記求めた体重と、前記第１の圧力検出手段によって検出された圧力とに基づいて前記サドルに対する荷重率を求め、該求めた荷重率から第２の評価指数を求め、求められた前記第１の評価指数及び前記第２の評価指数に基づいて前記運動強度を算出することを特徴とする請求項１に記載の運動情報収集装置。
＜請求項３＞
前記制御部は、算出した前記運動強度、前記自転車の運転時間及び前記自転車の使用者の体重に基づいて前記自転車の使用者の消費カロリーを算出することを特徴とする請求項２に記載の運動情報収集装置。
＜請求項４＞
前記第１の圧力検出手段と前記第２の圧力検出手段は、前記自転車に着脱自在であることを特徴とする請求項１〜３のいずれか一項に記載の運動情報収集装置。
＜請求項５＞
コンピュータを
自転車のサドルの上面に取り付けられた第１の圧力検出手段によって検出された前記自転車のサドルへの圧力と、前記自転車のペダルの足載置面に取り付けられた第２の圧力検出手段によって検出された前記自転車のペダルへの圧力とを入力し、入力した前記自転車のサドルへの圧力と前記自転車のペダルへの圧力とに基づいて前記自転車の使用者の運動の強度を示す運動強度を算出する制御部、
として機能させるためのプログラム。
【符号の説明】
【００５５】
１００  自転車
１０６  サドル
１１２ａ，１１２ｂ  ペダル
２００  運動情報収集装置
２０２  サドル用圧電センサ（第１の圧力検出手段）
２０３ａ，２０３ｂ，２０３ｃ，２０３ｄ  ペダル用圧電センサ（第２の圧力検出手段）
２１１  ＣＰＵ（制御部）
２００Ａ  運動情報収集装置
３００  携帯端末
３０６  制御部
【図１】
2015054149.tif 000003
【図２】
2015054149.tif 000004
【図３】
2015054149.tif 000005
【図４】
2015054149.tif 000006
【図５】
2015054149.tif 000007
【図６】
2015054149.tif 000008
【図７】
2015054149.tif 000009
【図８】
2015054149.tif 000010
【図９】
2015054149.tif 000011